(57)【特許請求の範囲】
【請求項１】
トレーニング室内にトレーニングマシンが設けられたフィットネスクラブであって、
トレーニングマシンを利用中の利用者が正面を見ている状態で向く側には、マシン換気扇が設置されており、
マシン換気扇は、日本国内における成人男女の平均身長の利用者がトレーニングマシンを利用している状態において、当該利用者の顔の高さに対して上下５０ｃｍ以内の高さに設けられており、且つ当該利用者の頭の中心から水平方向に半径２ｍ以内の位置に設けられており、
マシン換気扇を屋外につなぐ排気ダクトが設けられており、
排気ダクトの排出口は、屋外の歩道に面していない位置に設けられていることを特徴とするフィットネスクラブ。
【請求項２】
前記マシン換気扇は、トレーニングマシンを利用中の利用者が正面を見ている状態において、当該利用者の斜め左前及び斜め右前に設置されていることを特徴とする請求項１記載のフィットネスクラブ。
【請求項３】
前記マシン換気扇の動作を自動的に開始させる換気扇制御部が設けられており、
換気扇制御部は、前記トレーニングマシンの信号出力部に接続されており、当該信号出力部から当該トレーニングマシンの動作開始の信号が出力された際に前記マシン換気扇の動作を自動的に開始させる制御部であることを特徴とする請求項１又は２記載のフィットネスクラブ。
【請求項４】
前記換気扇制御部は、前記トレーニングマシンの信号出力部から当該トレーニングマシンの動作が終了した旨の信号が出力された際、所定のタイムラグの後に前記マシン換気扇の動作を停止させる制御部であることを特徴とする請求項３記載のフィットネスクラブ。
【請求項５】
前記マシン換気扇の動作を自動的に開始させる換気扇制御部が設けられており、
前記トレーニングマシン上又はその水平方向半径１メートル以内に利用者の存在を検出する利用者センサが設けられており、
換気扇制御部は、利用者の存在を利用者センサが検出した際に前記マシン換気扇の動作を開始させる制御部であることを特徴とする請求項１記載のフィットネスクラブ。
【請求項６】
前記換気扇制御部は、前記利用者センサから利用者の存在を検出しなくなった旨の信号が出力された際、所定のタイムラグの後に前記マシン換気扇の動作を停止させる制御部であることを特徴とする請求項５記載のフィットネスクラブ。
【請求項７】
前記トレーニングマシンは、有酸素運動を行うための有酸素マシンであることを特徴とする請求項１乃至６いずれかに記載のフィットネスクラブ
【請求項８】
感染症の疑いのある者の利用がスタッフにより制限されることのない無人型である請求項１乃至７いずれかに記載のフィットネスクラブ。
【発明の詳細な説明】
【技術分野】
【０００１】
この出願の発明は、有酸素マシン等のトレーニングマシンが設置されたフィットネスクラブに関するものである。
【背景技術】
【０００２】
健康志向の高まりを背景に、フィットネスクラブの利用者が増えている。フィットネスクラブは、通常、会員制であり、会費を払って会員となって利用する。フィットネスクラブは、トレーニング室を有しており、種々のマシンや器具が用意されている。この他、フィットネスクラブには、利用者のための更衣室やシャワー室等が設置されている。尚、この明細書において、フィットネスクラブとは、マシンや器具が設けられて利用者が利用できるようにした施設を意味する。
【先行技術文献】
【特許文献】
【０００３】
【特許文献１】特開２０２０−００３２０６号公報
【発明の概要】
【発明が解決しようとする課題】
【０００４】
この出願が為される時点において、新型コロナウイルスの大流行が大きな社会問題となっている。特に、フィットネスクラブの業界においては、とあるフィットネスクラブがクラスター発生源とされたことから、感染しやすい場所として喧伝され、風評被害的な要素もあり、クラブの運営や経営において深刻な事態となっている。
フィットネスクラブにおける感染の要因の一つとして、有酸素マシンの存在がある。有酸素マシンとは、有酸素運動を行うためのマシンを指しており、ランニングマシンやフィットネスバイク（自転車型のトレーニングマシン）等の機器が該当する。
【０００５】
有酸素運動は酸素を多く取り込んで脂肪を消費するのが目的であり、このため、有酸素マシンを利用中の利用者は、激しく呼吸を行うのが普通である。このため、利用者の口や鼻からは吐息に加え多くの飛沫が出てくる。利用者が万が一ウイルスに感染していると、これらの吐息や飛沫にウイルスが含まれる可能性が高く、エアゾル感染も含めて周囲の他の利用者に感染させてしまうリスクが生じる。また、有酸素マシン以外のトレーニングマシンを利用する場合も、大きな呼吸をする場合が多く、吐息や飛沫が撒き散らされるので、ウイルス感染の恐れがある。
このようなことから、フィットネスクラブの利用や入会が忌避され、この結果、フィットネスクラブの経営に重大な危機が生じることが予想される。
【０００６】
この問題は、業態として広まりつつある無人型のフィットネスクラブの場合、深刻である。スタッフが常駐する有人型のフィットネスクラブの場合、受付でスタッフが来場者の体温を測り、ある一定の温度以上の熱がある来場者の入場を制限する運営が考えられる。しかし、無人型のフィットネスクラブの場合、会員であれば入場できてしまうので、より感染のリスクが高くなる。
本願の発明は、このようなフィットネスクラブにおけるウイルス感染の問題を解決するために為されたものであり、ウイルス感染を効果的に防止し、フィットネスクラブの事業運営や経営への影響を少しでも抑えることを目的としている。
【課題を解決するための手段】
【０００７】
上記課題を解決するため、本願発明に係るフィットネスクラブは、トレーニング室内にトレーニングマシンを備えたフィットネスクラブであって、
トレーニングマシンを利用中の利用者が正面を見ている状態で向く側には、マシン換気扇が設置されており、
マシン換気扇は、日本国内における成人男女の平均身長の利用者がトレーニングマシンを利用している状態において、当該利用者の顔の高さに対して上下１ｍ以内の高さに設けられており、且つ当該利用者の頭の中心から水平方向に半径２ｍ以内の位置に設けられており、
マシン換気扇を屋外につなぐ排気ダクトが設けられており、
排気ダクトの排出口は、屋外の歩道に面していない位置に設けられている。
また、このフィットネスクラブの発明は、
マシン換気扇の動作を自動的に開始させる換気扇制御部が設けられており、
換気扇制御部は、トレーニングマシンの信号出力部に接続されており、当該信号出力部から当該トレーニングマシンの動作開始の信号が出力された際にマシン換気扇の動作を自動的に開始させる制御部であるという構成を持ち得る。
また、このフィットネスクラブの発明において、換気扇制御部は、トレーニングマシンの信号出力部から当該トレーニングマシンの動作が終了した旨の信号が出力された際、所定のタイムラグの後にマシン換気扇の動作を停止させる制御部であり得る。
また、このフィットネスクラブの発明は、
マシン換気扇の動作を自動的に開始させる換気扇制御部が設けられており、
トレーニングマシン上又はその水平方向半径１メートル以内に利用者の存在を検出する利用者センサが設けられており、
換気扇制御部は、利用者の存在を利用者センサが検出した際に前記マシン換気扇の動作を開始させる制御部である
という構成を持ち得る。
また、このフィットネスクラブの発明において、換気扇制御部は、利用者センサから利用者の存在を検出しなくなった旨の信号が出力された際、所定のタイムラグの後にマシン換気扇の動作を停止させる制御部であり得る。
また、このフィットネスクラブの発明において、トレーニングマシンは、有酸素運動を行うための有酸素マシンであり得る。
また、本願発明に係るフィットネスクラブは、感染症の疑いのある者の利用がスタッフにより制限されることのない無人型であり得る。
【発明の効果】
【０００８】
以下に説明する通り、本願発明のフィットネスクラブにおいては、トレーニングマシンを利用中の利用者からの吐息や飛沫を水平方向半径２ｍ以内に設置されたマシン換気扇が吸引して排出するので、この利用者が新型コロナウイルスのような感染症に万が一感染していても、トレーニング室にいる他の利用者にうつしてしまうことが抑制される。また、マシン換気扇から吸引された雰囲気は排気ダクトを通って排気口から排出されるが、歩道に面していないので、排気される雰囲気に万が一ウイルスが混ざっていても、歩道を歩いている人に影響を与えてしまうことはない。
また、トレーニングマシンを利用中の利用者が正面を見ている状態において、当該利用者の斜め左前及び斜め右前にマシン換気扇が設置されていると、トレーニングマシンの操作パネルのような部材が利用中の利用者の顔の前方にあった場合でも、排気が阻害されることがないので、この点で好適となる。
また、トレーニングマシンが動作を開始した段階又はトレーニングマシンに利用者がいることを検知した段階でマシン換気扇が自動的に動作を開始する構成では、必要な時のみにマシン換気扇が動作を開始するので、無駄に電力を消費するのが抑えられる。
また、トレーニングマシンが動作を停止した後又はトレーニングマシンに利用者がいなくなってから所定のタイムラグの後にマシン換気扇が停止する構成では、マシン換気扇が無駄に動作し続けることがなく、この点で消費電力が抑制される。
また、トレーニングマシンが有酸素マシンである構成では、吐息や飛沫の量が多くなり易いので、特に効果がある。
また、本願発明が無人型のフィットネスクラブに適用されると、上記効果が特に顕著となる。
【図面の簡単な説明】
【０００９】
【図１】第一の実施形態に係るフィットネスクラブの平面概略図である。
【図２】マシン換気扇の設置位置について示した側面概略図である。
【図３】マシン換気扇の設置位置について示した平面概略図である。
【図４】背後から見たダクトユニットの断面概略図である。
【図５】各マシン換気扇の制御について示したブロック図である。
【図６】第二の実施形態のフィットネスクラブの主要部の概略図である。
【発明を実施するための形態】
【００１０】
以下、この出願の発明を実施するための形態（実施形態）について説明する。
図１は、第一の実施形態に係るフィットネスクラブの平面概略図である。実施形態のフィットネスクラブとしては、２４時間営業の無人型のフィットネスクラブが想定されている。
このフィットネスクラブは、ビル内に設けられた施設である。但し、平屋建てや二階建てのような独立した家屋が全てフィットネスクラブとなっている場合であっても良い。
【００１１】
図１に示すように、このフィットネスクラブは、出入り扉１と、出入り扉１を入った左側にある更衣室やお手洗い等の設備と、その向かい側にあるトレーニング室２とを備えている。このフィットネスクラブは、二つのフロアを占有しており、上の階（不図示）に別のトレーニング室を備えている。尚、出入り扉１の外側には、入室管理ユニット３が設置されている。入室管理ユニット３は、会員のみが入室できるようにしたユニットであり、この実施形態ではＩＣカード方式となっている。即ち、入室管理ユニット３はＩＣカードリーダーを含んでおり、ＩＣカードリーダーによる読み取り結果に従って出入り扉１を動作させる不図示の扉制御部を備えている。
【００１２】
トレーニング室２には、多数のトレーニングマシン４が設置されている。このうち、相当数のマシンは有酸素マシンとなっている。この実施形態では、トレーニング室２は、有酸素運動を行うエリアと、その他のエリア（ウェイトマシンエリア、ストレッチエリア、血圧等の計測を行う計測エリア）に分かれている。各トレーニングマシン４のうち有酸素マシンは、有酸素運動エリアに設置されている。筋力系マシン等の他のマシン（不図示）は、他のエリアに設置されている。
【００１３】
そして、トレーニング室２には、トレーニングマシン４を利用する利用者を考慮した換気扇（以下、マシン換気扇という。）５が設けられている。このフィットネスクラブには、トレーニング室２全体を換気する不図示の換気扇が設けられているが、マシン換気扇５はこれとは別に設けられたものである。マシン換気扇５は、トレーニングマシン４を利用中の利用者から吐息や飛沫にウイルスが混ざっている可能性があることを考慮して設置されたものである。マシン換気扇５としては、それほど大型のものでなくとも良く、例えば消費電力が３０Ｗ程度のもので良い。
【００１４】
図２及び図３はマシン換気扇５の設置位置について示した概略図であり、図２は側面概略図、図３は平面概略図である。
図２に示すように、マシン換気扇５に対しては、取り付け枠に兼用されているダクトユニット６が設けられている。マシン換気扇５は、ダクトユニット６に嵌め込まれる形で取り付けられている。ダクトユニット６は、下端が床に固定された支柱６１で支えられている。
【００１５】
図２に示すように、マシン換気扇５の垂直方向における位置は、トレーニングマシン４を利用中の利用者のほぼ顔の高さの位置となっている。この位置は、利用者が平均的な伸長（例えば日本の成人男女の平均身長）を有していると仮定してこの者がトレーニングマシン４を利用した場合に位置する顔の高さである。より厳密には、平均身長の者の鼻の位置（例えば伸長−２０ｃｍ）であるとし、この位置から上下５０ｃｍ以内の位置である。具体的には、マシン換気扇５の高さ方向の中央の位置での高さは、床から例えば１６０ｃｍ程度である。
【００１６】
また、図３に示すように、水平方向におけるマシン換気扇５の位置は、トレーニングマシン４を利用中の利用者の位置を中心にして半径２ｍ以内となっている。この実施形態では、複数のトレーニングマシン４が横に並んで設置されており、並設方向において各トレーニングマシン４の間の位置にマシン換気扇５が設置されている。
利用中の利用者の位置とは、トレーニングマシン４が例えばフィットネスバイクであれば、サドルの中央の位置である。また、トレーニングマシン４がランニングマシンであれば、利用者が乗る位置として推奨されている中央位置である。
【００１７】
図４は、背後から見たダクトユニット６の断面概略図である。背後とは、トレーニングマシン４が設けられた側とは反対側という意味である。
図４に示すように、ダクトユニット６は、水平方向に並んでいる各マシン換気扇５の背後において水平方向に延びるメインダクト６０と、メインダクト６０内に設けられた逆流防止板６２及び滞留防止板６３とを有している。
ダクトユニット６は、下半分の空間において各マシン換気扇５の背後の空間を連通させている。以下、この連通空間をメイン流路という。図２に示すように、この例では、メイン流路は背後から見て左から右に流れる流路となっている。
【００１８】
逆流防止板６２は、各マシン換気扇５の背後の空間とメイン流路との区切るよう取り付けられた水平な姿勢の板である。各滞留防止板６３は、各逆流防止板６２の左端の位置から上方向に延びた姿勢の板である。各滞留防止板６３は、各マシン換気扇５の背後の空間を左側において上下に仕切っており、当該空間において雰囲気が滞留せずに右方向に流れ出すようにしている。
【００１９】
図２に示すように、各マシン換気扇５の背後の空間の右側には、斜め右下に延びる姿勢のガイド板６４が設けられている。各ガイド板６４の下端は、右隣りの滞留防止板６３の下端に連結されている。
各逆流防止板６２の右端と、ガイド板６４の下端との間は大きな開口となっており、この開口を通して、各マシン換気扇５の背後の空間はメイン流路に連通している。図１に示すように、この実施形態では、メインダクト６０は右端で直角に折れ曲がり、別の複数のマシン換気扇５につながっている。
【００２０】
この実施形態では、窓開口部の壁面に対して垂直方向に並んで複数のトレーニングマシン４が並んでいる。これらのトレーニングマシン４に対しても、マシン換気扇５が設けられている。これらマシン換気扇５も、利用中の利用者の位置に対して斜め左前と斜め右前の方向であって水平方向半径２ｍ以内で且つ上下５０ｃｍ以内の位置に設けられている。各マシン換気扇５の背後の構造は、図２〜図４に示すものと同様である。
尚、直角に折れ曲がったメインダクト６０の終端には、不図示の排出口につながる連通ダクト７が設けられている。連通ダクト７は、図１では模式的に描かれているが、例えば天井に向けて垂直に延びて天井で折れ曲がり、天井に沿って固定されて排気口につながる構造とすることができる。若しくは、蛇腹状のフレキシブルなダクトを接続して連通ダクト７としても良い。
【００２１】
排出口は、屋外の歩道に面していない位置に設けられている。フィットネスクラブが設けられた建物が歩道に面した壁面を有している場合、排気口はその壁面以外のところに設けられる。トレーニング室２全体を排気する換気扇がつながる排気口が歩道に面していない壁面に設けられている場合、そこに合流するように連通ダクト７を設けても良い。各マシン換気扇５が増設されることから、負荷が大きくなって問題が生じるようであれば、歩道に面していない壁面に排気口を設けてそこに連通させる。
【００２２】
このように設けられている各マシン換気扇５は、必要な時にのみ動作させるようにして消費電力の増加を抑える工夫をしている。以下、この点について図４を参照して説明する。図４は、各マシン換気扇５の制御について示したブロック図である。
図４に示すように、各マシン換気扇５には、換気扇制御部５０が設けられている。換気扇制御部５０は、マシン換気扇５の動作を制御する制御部である。
【００２３】
この実施形態では、各トレーニングマシン４は、信号出力部４１を備えている。信号出力部４１は、当該トレーニングマシン４の動作開始や動作停止を出力することができるものである。マシン換気扇５の給電線上にはスイッチ５１が設けられており、換気扇制御部５０はこのスイッチ５１のオンオフ制御を行うものとなっている。
各換気扇制御部５０は、簡単な論理回路から成るものとなっており、信号出力部４１からトレーニングマシン４の動作開始の信号の入力があった場合に、当該トレーニングマシン４に対応する二つのマシン換気扇５に対してオン信号を送る制御部である。「対応するマシン換気扇」とは、当該トレーニングマシン４について水平方向半径２ｍ以内にある斜め左前のマシン換気扇５と斜め右前のマシン換気扇５である。
【００２４】
複数並んだマシン換気扇５のうち、最も左のマシン換気扇５と最も右のマシン換気扇５とを除いたマシン換気扇（以下、中央側マシン換気扇という。）５は、並んだ二つのトレーニングマシン４について兼用となっている。したがって、中央側マシン換気扇５については、給電線上のスイッチ５１がＯＲゲート素子５２を介して両側の換気扇制御部５０に接続されている。即ち、いずれか一方又は両方の換気扇制御部５０からオン信号が出力された際、スイッチ５１がオンになって当該中央側マシン換気扇５が動作するようになっている。
【００２５】
また、各換気扇制御部５０は、不図示のタイマー回路を含んでいる。各換気扇制御部５０は、トレーニングマシン４の信号出力部４１から動作停止の出力があった際、タイマー回路を動作させ、所定のタイムラグが経過した後にオフ信号を出力するよう構成されている。尚、中央側マシン換気扇５については、ＯＲゲート素子５２が設けられているので、両側の換気扇制御部５０からオフ信号が出力された場合にのみスイッチ５１がオフになる。タイムラグは、例えば５秒〜３分程度の間で適宜決定される。
【００２６】
上記構成に係るフィットネスクラブの動作について、以下に説明する。
利用者は、会員カードを持参してフィットネスクラブに来場し、入室管理ユニット３のカードリーダーにかざす。これにより出入り扉１が開き、利用者は中に入り、着替え等を行ってトレーニング室２に行く。そして、有酸素運動をすべくトレーニングマシン４のところに行く。利用者が例えばランニングマシンの上に乗って動作ボタンを押すと、ベルトが回転を始め、利用者はベルト上でランニングを行う。動作開始とともに信号出力部４１が動作開始の信号を出力し、換気扇制御部５０が対応する二つの（斜め左前と斜め右前の）マシン換気扇５のスイッチ５１をオンにする。
【００２７】
これにより二つのマシン換気扇５が動作し、利用者の周囲の雰囲気を排気する。利用者はランニングに伴って大きく息を吐いたり、飛沫を出したりするが、これはマシン換気扇５により迅速に吸引されて排出される。利用者がランニングマシンの利用を終了すると、信号出力部４１から動作停止信号が出力される。これに伴い、換気扇制御部５０からオフ信号が出力され、ＯＲゲート素子５２の条件に従いスイッチ５１がオフされる。即ち、動作していた換気扇が中央側マシン換気扇５の場合、その両隣りのトレーニングマシン４も動作していなければ、そのマシン換気扇５は停止する。右又は左の少なくとも一方のトレーニングマシン４が動作していれば、停止しない。
【００２８】
このような実施形態のフィットネスクラブによれば、トレーニングマシン４を利用中の利用者からの吐息や飛沫を水平方向半径２ｍ以内に設置されたマシン換気扇５が吸引して排出するので、この利用者が新型コロナウイルスのような感染症に万が一感染していても、トレーニング室２にいる他の利用者にうつしてしまうことが抑制される。尚、マシン換気扇５から吸引された雰囲気はメインダクト６０を通って排気口から排出されるが、歩道に面していないので、排気される雰囲気に万が一ウイルスが混ざっていても、歩道を歩いている人に影響を与えてしまうことはない。
【００２９】
このような効果は、実施形態のように無人型のフィットネスクラブの場合に特に顕著である。有人型のフィットネスクラブであれば、受け付けでスタッフが来場者に対して検温や問診等をして不適切な者の利用を防ぐことができるが、無人型の場合には不可能である。このため、吐息や飛散の多いトレーニングマシン（有酸素マシン）４について感染症対策を行っている実施形態の技術構成は、無人型のフィットネスクラブの場合に特に有益である。
そして、このような感染症対策を行っているということは、会員に対してより安心感を持って利用してもらえることになり、来場の促進、新規入会の促進となる。このため、フィットネスクラブを運営する会社の経営にも資することになる。
【００３０】
尚、新型コロナウイルスのようにエアゾル感染又は飛沫感染で感染するウイルスの場合、感染者から出されたウイルスは、感染者から水平方向半径２ｍ以内に殆どが存在していると言われている。したがって、上記のように水平方向半径２ｍ以内にマシン換気扇が設けられていれば、対策としては十分である。
また、上記実施形態において、各トレーニングマシン４について距離を取って配置するとより好適である。即ち、あるトレーニングマシン４を利用中の利用者の位置と、隣りのトレーニングマシン４を利用中の利用者の位置とが２ｍ以上離れるように設置すると、より好適である。
【００３１】
次に、第二の実施形態のフィットネスクラブについて説明する。図６は、第二の実施形態のフィットネスクラブの主要部の概略図である。
第二の実施形態でも、トレーニングマシン４に対して正面の側であって水平方向半径２ｍ以内の位置にマシン換気扇５が設けられている。第二の実施形態では、各マシン換気扇５のオンオフの方式が第一の実施形態と異なっている。即ち、第二の実施形態では、トレーニングマシン４を利用する利用者の存在を検出した場合にマシン換気扇５を動作させるようになっている。
【００３２】
図６に示すように、各トレーニングマシン４に対して、人感センサ８が設けられている。人感センサ８が人の存在を検出する範囲は、トレーニングマシン４の中央から半径１ｍ以内の範囲を少なくともカバーすることが望ましい。各人感センサ８は、例えば天井に取り付けられ、対応するトレーニングマシン４の真上に位置する。
【００３３】
各人感センサ８は、対応する換気扇制御部５０との間で近距離無線通信により信号を送信する構成となっている。各換気扇制御部５０の構成は、第一の実施形態とほぼ同様である。即ち、対応する人感センサ８から人の存在を検知した信号が送信されると、換気扇制御部５０はオン信号を出力する。この信号は、ＯＲゲート素子５２を介してスイッチ５１に送られ、スイッチ５１がオンになってマシン換気扇５が動作する。
【００３４】
また、利用者が当該トレーニングマシン４の利用を終了してトレーニングマシン４から離れると、人感センサ８が人を検出しなくなる。この結果、対応する換気扇制御部５０は、タイマー回路を動作させ、所定のタイムラグの後にオフ信号を出力する。当該マシン換気扇５が中央側マシン換気扇５の場合には、両隣りの人感センサ８とも人の存在を検出していない場合、ＯＲゲート素子５２からオフ信号が出力され、当該マシン換気扇５が停止する。右又は左の人感センサ８が人の存在を検出している場合、当該マシン換気扇５は動作を続ける。右端又は左端のマシン換気扇５の場合、オフ信号が出力されると直ちに動作を停止する。
第二の実施形態のフィットネスクラブについても、トレーニングマシン４の利用中にマシン換気扇５が動作し、利用者が出す吐息や飛沫を迅速に排出する。このため、利用者が万が一感染症を罹患していても、周囲の利用者にうつしてしまうのが抑制される。
【００３５】
上記各実施形態において、各マシン換気扇５は、斜め右前及び斜め左真の位置に設けられていたが、まっすぐ正面の位置に設けられていても良い。即ち、トレーニングマシン４を利用する利用者が正面を向いている場合、その目線の先の位置（又はその上下５０ｃｍ以内の位置）にマシン換気扇５が設けられていても良い。
但し、多くのトレーニングマシン４は、前部に操作パネルが設けられており、操作パネルは、ほぼ顔の位置か若しくはその少し下の位置である。このため、正面にマシン換気扇５が設けられていると、操作パネルが排気の流れを遮る状態になり易い。従って、斜め右前及び斜め左前に設けられているのが望ましい。但し、正面であっても２ｍ以内であれば十分に機能するので、大きな問題はない。尚、正面に設けられる場合、利用者の顔の高さの位置から少し高い位置に設けることが好ましい。
【００３６】
また、上記各実施形態において、マシン換気扇５は、有酸素マシンである各トレーニングマシン４について設けられていたが、他のトレーニングマシンについて設けられていても良い。例えば、ウェイトスタック式の構造がしばしば採用されている筋力系マシン（筋力を増強させる運動を行うためのマシン）がフィットネスクラブに設置されている場合が多いが、これらのマシンにおいても、利用中に利用者が位置する推奨位置が設定されている。この位置に利用者が位置した際、顔の位置から水平方向半径２ｍ以内であって上下５０ｃｍ以内にマシン換気扇が設けられる。
尚、筋力系マシンの場合、特に電気系の制御装置を持っておらず信号出力部が無いことが多いが、この場合には、適宜のセンサを追加で設けて信号を出力させても良い。例えば、ウェイトスタック式の場合、利用者がマシンを使用すると、ウエイトが上下動等を行う場合が多いが、この部分にセンサを設けて利用を検知する構成が考えられる。具体的には、運動に伴って移動するウェイトと、ウェイトが移動する際に付近を通過する部材（フレーム等）とに近接センサを設け、ウェイトの移動を検知する。また、筋力系マシン等の他のトレーニングマシンについても、利用者の存在を人感センサで検出してもよい。
【００３７】
また、上記各実施形態では、トレーニングマシンを利用している間のみマシン換気扇５が動作するようにするため、トレーニングからの信号や人感センサ８からの信号で動作をオンオフしたが、マシン換気扇５を常時動作させていても良い。
尚、本願発明の構成は、無人型のフィットネスクラブに適用されると前述したように特に意義があるが、有人型のフィットネスクラブに適用されても効果があることは勿論である。
【符号の説明】
【００３８】
４  トレーニングマシン
４１  信号出力部
５  マシン換気扇
５０  換気扇制御部
５１  スイッチ
６  ダクトユニット
６０  メインダクト
６２  逆流防止板
６３  滞留防止板
８  人感センサ
【要約】
【課題】  ウイルス感染を効果的に防止し、フィットネスクラブの事業運営や経営への影響を少しでも抑える。
【解決手段】  無人型のフィットネスクラブのトレーニング室２内に設けられたトレーニングマシン４には、利用中の利用者の正面の側の水平方向半径２ｍ以内で上下方向５０ｃｍ以内の位置にマシン換気扇５が設けられており、トレーニングマシン４の動作開始又は利用者の存在の検知により動作して排気する。マシン換気扇５がつながる排気ダクトの排気口は、屋外の歩道に面していない位置に設けられている。
【選択図】  図３【図１】
0006839877.tif 000002
【図２】
0006839877.tif 000003
【図３】
0006839877.tif 000004
【図４】
0006839877.tif 000005
【図５】
0006839877.tif 000006
【図６】
0006839877.tif 000007